(57)【要約】【課題】端子がハウジングへ挿着し易く、レセプタクルコネクタとの嵌合後に端子との係止量を増大するランスを有するケーブル側コネクタとレセプタクルコネクタによる電気コネクタ組立体を提供することを課題とする。【解決手段】ランス１９はケーブル側コネクタ１０のハウジング１１の外壁に設けられていてコネクタ嵌合状態でレセプタクルコネクタ５０の対応部で圧せられるように位置しており、該ランス１９と対応部は、両コネクタの正規の嵌合位置にて、互いに押圧し合い、ランス１９が対応部からの押圧力によって弾性撓み変位して端子に対する係止部１９Ｂの係止量がコネクタ嵌合前に比し増大するようになっており、両コネクタ１０，５０は上記ランス１９の係止位置を維持する位置維持手段２２Ａ，６０を有している。【選択図】図１
2011034702.tif 000002
【特許請求の範囲】
【請求項１】
ケーブルの前端が結線される端子を備えたケーブル側コネクタと、該ケーブル側コネクタが嵌合されるレセプタクルコネクタとを有し、ケーブル側コネクタのハウジングは端子を前方に向け挿着するための端子収容部が形成されていると共に挿着後の端子の後方への移動を阻止するランスが設けられており、該ランスは可撓腕状に形成されて端子に対する係止部を有していると共に端子収容部への端子の挿着過程で該端子により圧せられて端子挿入方向に対して直角な方向で弾性撓み変位して端子の挿入を許容する電気コネクタ組立体において、
ランスはケーブル側コネクタのハウジングの外壁に設けられていてコネクタ嵌合状態でレセプタクルコネクタの対応部で圧せられるように位置しており、該ランスと対応部は、両コネクタの正規の嵌合位置にて、互いに押圧し合い、ランスが対応部からの押圧力によって弾性撓み変位して端子に対する係止部の係止量がコネクタ嵌合前に比し増大するようになっており、両コネクタは上記ランスの係止位置を維持する位置維持手段を有していることを特徴とする電気コネクタ組立体。
【請求項２】
ケーブル側コネクタとレセプタクルコネクタは、ランスの弾性撓み変位方向で嵌合されるようになっており、位置維持手段は、両コネクタの一方のコネクタに設けられた係止突部と他方のコネクタに設けられて該係止突部に係止する係止爪部を備える係止部とで形成されていることとする請求項１に記載の電気コネクタ組立体。
【請求項３】
ケーブル側コネクタとレセプタクルコネクタは、ランスの延出方向で嵌合されるようになっており、位置維持手段はランスの弾性変位方向で互いに当接し合うケーブル側コネクタとレセプタクルコネクタの壁部で形成されていることとする請求項１に記載の電気コネクタ組立体。
【請求項４】
ランスと対応部は、いずれか一方が突部を有し、他方が該突部を押圧する押圧面を形成していることとする請求項１に記載の電気コネクタ組立体。
【発明の詳細な説明】
【技術分野】
【０００１】
本発明は、ケーブルが結線される端子を備えたケーブル側コネクタと、該ケーブル側コネクタが嵌合されるレセプタクルコネクタとを有する電気コネクタ組立体に関する。
【背景技術】
【０００２】
かかる電気コネクタ組立体としては、例えば、特許文献１に開示されているものが知られている。この特許文献１では、ケーブル側コネクタはケーブルを圧着結線した端子がケーブル延出方向と逆となる前方に向けてハウジング端子収容部に挿着されており、該端子には舌片状のランスが設けられている。該ランスは弾性撓み変位可能であって、端子が端子収容部へ挿着される過程で、該ランスがハウジングに圧せられて撓むことにより、端子は所定位置への挿着が実行できる。所定位置へ端子が挿着されると、ランスはハウジングの切欠部に位置して弾性撓みから解放されて自由状態に戻って、上記切欠部の縁部に係止する。かくして、端子は、端子のケーブルに引張力が作用しても、抜けが防止される。
【０００３】
このようなケーブル側コネクタは前方に向けて相手コネクタへ嵌合される。両コネクタは互いの係止し合う突起と係止腕とで外れが防止される。
【０００４】
上記ケーブル側コネクタのランスは、ハウジングの切欠部の空間内にあって、該ケーブル側コネクタが相手コネクタに嵌合されても、そのまま自由状態にあり、上記縁部との係止量は変わらない。すなわち、ランスの係止量はコネクタの嵌合前後で同じである。
【０００５】
上記特許文献１のケーブル側コネクタはケーブルの延出方向とは逆方向、すなわち平行な方向で前方に向けて相手コネクタに嵌合されることとしているが、特許文献２は、ケーブル側コネクタがケーブルの延出方向とは直角な方向で相手コネクタに嵌合されるコネクタ組立体を開示している。この特許文献２の場合も、端子に設けられたランスのハウジングとの係止量は、コネクタの嵌合前後で変わることなく同じである。
【先行技術文献】
【特許文献】
【０００６】
【特許文献１】特開２０００−１２３９１２
【特許文献２】特開２００７−１４９６１５
【発明の概要】
【発明が解決しようとする課題】
【０００７】
端子の抜け防止を確実なものとするには、コネクタの使用時にケーブルに大きな引張力が作用してもランスが外れることのないように、ハウジングに対するランスの係止量が十分に大きいことが好ましい。
【０００８】
しかし、特許文献１そして特許文献２のケーブル側コネクタにあっては、ランスの係止量は、コネクタの嵌合前後に係りなく、常に同じである。したがって、コネクタの使用時、すなわち相手コネクタとのコネクタ嵌合後の上記ランスの係止量を大きいものとするには、当初から、すなわち端子がケーブル側コネクタのハウジングへ挿着された後であって該ケーブル側コネクタが相手コネクタへコネクタ嵌合される前において、すでに係止量が大きくなっていなければならない。そのためには、端子がケーブル側コネクタのハウジングの端子収容部へ挿着される過程で、ランスはハウジングに圧せられて大きく弾性撓み変位しなくてはならないことを意味する。この弾性撓み変位を大きくすると、ランスには過度な応力が生じてランスの塑性変形あるいは破損という事態になりかねない。また、特許文献１そして特許文献２では、ランスは金属板で作られている端子に設けられている関係で、その板厚が端子の他部と同じで、多くの場合、薄く作られていて、さほど高強度にはできていない。
【０００９】
本発明は、このような事情に鑑み、ケーブル側コネクタの端子に設けられたランスの係止量が端子のハウジングへの挿着状態ではあまり大きくなく挿着が容易で、相手コネクタたるレセプタクルコネクタとの嵌合後に、上記係止量を増大させて係止を確実とする電気コネクタ組立体を提供することを課題とする。
【課題を解決するための手段】
【００１０】
本発明に係る電気コネクタ組立体は、ケーブルの前端が結線される端子を備えたケーブル側コネクタと、該ケーブル側コネクタが嵌合されるレセプタクルコネクタとを有し、ケーブル側コネクタのハウジングは端子を前方に向け挿着するための端子収容部が形成されていると共に挿着後の端子の後方への移動を阻止するランスが設けられており、該ランスは可撓腕状に形成されて端子に対する係止部を有していると共に端子収容部への端子の挿着過程で該端子により圧せられて端子挿入方向に対して直角な方向で弾性撓み変位して端子の挿入を許容する。
【００１１】
かかる電気コネクタ組立体において、本発明では、ランスはケーブル側コネクタのハウジングの外壁に設けられていてコネクタ嵌合状態でレセプタクルコネクタの対応部で圧せられるように位置しており、該ランスと対応部は、両コネクタの正規の嵌合位置にて、互いに押圧し合い、ランスが対応部からの押圧力によって弾性撓み変位して端子に対する係止部の係止量がコネクタ嵌合前に比し増大するようになっており、両コネクタは上記ランスの係止位置を維持する位置維持手段を有していることを特徴としている。
【００１２】
このような構成の本発明にあっては、ランスは次のように組み込まれそして機能する。
【００１３】
＜コネクタ嵌合前＞
ケーブルが結線された端子のケーブル側コネクタへの挿着は、レセプタクルコネクタとの嵌合前に行われる。上記端子はケーブル側コネクタのハウジングに形成された端子収容部へ挿着される。該ハウジングにはランスが形成されていて、上記端子はその挿着過程で、ランスを圧して該ランスに弾性撓み変位を生じさせて所定の挿着位置までの挿入が可能となる。所定の挿着位置では、ランスは自由状態に戻り、端子に係止して該端子の抜けを防止する。この端子の挿着の際には、上記ランスの弾性撓み変位の量はさほど大きくなくてよい。未だ、コネクタ嵌合前、すなわちコネクタ使用前なので、ケーブル側コネクタ単体として、多少の外力がケーブルに作用しても端子が抜けない程度のいわゆる仮止めの状態が維持されていれば十分である。
【００１４】
＜コネクタ嵌合完了時＞
ケーブル側コネクタが相手コネクタたるレセプタクルコネクタへ所定位置まで嵌合されると、ケーブル側コネクタのランスは相手コネクタたるレセプタクルコネクタの対応部により押圧力を受け弾性撓み変位を生じ、該ランスの端子に対する係止量は増大する。両コネクタは、上記所定位置を維持する位置維持手段を有しているので、この増大した係止量はそのまま維持され、ランスの端子に対する係止がさらに確実となる。
【００１５】
このような、本発明の電気コネクタ組立体では、ケーブル側コネクタハウジングに形成されたランスは、ハウジングへの端子の挿着時には、両コネクタの嵌合前なので、端子はランスによって仮保持される程度の小さい係止量を確保するだけでよく、端子に圧せられた際のランスの変位量は小さくてすみ、したがって、端子の挿着は容易になされる。しかし、両コネクタの嵌合後は、ランスはレセプタクルコネクタの対応部で押圧されて弾性撓みを生じ、上記係止量が増大し、そのまま維持されるようになる。ランスは、ケーブル側コネクタのハウジングに形成されるので、端子に形成される場合とは異なり、幅、厚み等の寸法を自由に設定でき、ランスの係止面積、強度が十分に確保できる。
【００１６】
本発明において、ケーブル側コネクタとレセプタクルコネクタは、ランスの弾性撓み変位方向で嵌合されるようになっており、位置維持手段は、両コネクタの一方のコネクタに設けられた係止突部と他方のコネクタに設けられて該係止突部に係止する係止爪部を備える係止部とで形成されているようにすることができる。
【００１７】
この形態では、コネクタ同士の嵌合は、ランスの弾性撓み変位方向で、すなわち、ランスが延びる方向に対して直角方向でなされる。したがって、ランスは、コネクタの嵌合時に、相手コネクタたるレセプタクルコネクタの対応部と摩擦を伴うことなく該対応部から押圧力を受ける。嵌合位置でランスが所定量だけ弾性撓みして端子との係止量を増すと、位置維持手段としての係止突部と係止爪部とが係止し合って、コネクタの外れが防止されて、増大した上記係止量がそのままで維持される。
【００１８】
本発明において、ケーブル側コネクタとレセプタクルコネクタは、ランスの延出方向で嵌合されるようになっており、位置維持手段はランスの弾性変位方向で互いに当接し合うケーブル側コネクタとレセプタクルコネクタの壁部で形成されているようにすることができる。
【００１９】
ケーブル側コネクタがランスの延出方向でレセプタクルコネクタに嵌合されるということは、レセプタクルコネクタには、ランスの弾性撓み変位方向でケーブル側コネクタに対して両側の位置に壁部が設けられていることである。一方の壁部は上記ランスに押圧力を与える対応部が形成され、他方の壁部はこの押圧力を受けたケーブル側コネクタの移動を規制する。したがって、この両方の壁部が位置維持手段として機能する。かかる形態では、ケーブル側コネクタがレセプタクルコネクタに嵌合される過程で、ランスは上記一方の壁部に形成された対応部と摺接しながら移動し嵌合方向に対して直角方向の押圧力を受けて、弾性撓み変位して、端子との係止量を増大する。そして、上記位置維持手段によって、その状態が維持される。
【００２０】
本発明では、ランスと対応部は、いずれか一方が突部を有し、他方が該突部を押圧する、例えば、平坦な押圧面を形成しているようにすることができる。
【発明の効果】
【００２１】
本発明は、以上のように、端子の抜けを防止するランスをケーブル側コネクタのハウジングに設け、相手コネクタたるレセプタクルコネクタと嵌合したときに、上記ランスの端子に対する係止量を増大させることができるので、ランスの係止能力を高め、また、ランスの大きさを自由に設定できるので、その強度も向上させることができる。さらには、コネクタ嵌合前、すなわち、ケーブル側コネクタへの端子の挿着状態では、ランスの端子に対する係止量を小さく設定できるので、端子挿着過程でのランスの弾性撓み変位量を小さく抑えることができ、端子挿着時にランスに過大な応力をもたらすことなく、ランスの損傷等を防止できる。
【図面の簡単な説明】
【００２２】
【図１】本発明の第一実施形態のケーブル側コネクタとレセプタクルコネクタについてのランス延出方向での断面図であり、（Ａ）は両コネクタの嵌合前、（Ｂ）は嵌合後を示す。
【図２】図１のケーブル側コネクタのみの底面図である。
【図３】図１のコネクタについてのランス延出方向と直角な面での端子の接触部の位置（図１（Ａ）におけるIII−III）における断面図であり、（Ａ）は両コネクタの嵌合前、（Ｂ）は嵌合後を示す。
【図４】第二実施形態のケーブル側コネクタとレセプタクルコネクタについてのランス延出方向での断面図であり、（Ａ）は両コネクタの嵌合前、（Ｂ）は嵌合後を示す。
【図５】第三実施形態のケーブル側コネクタとレセプタクルコネクタについてのランス延出方向での断面図であり、（Ａ）は両コネクタの嵌合前、（Ｂ）は嵌合後を示す。
【発明を実施するための形態】
【００２３】
以下、添付図面にもとづき、本発明の実施の形態について説明する。
【００２４】
＜第一実施形態＞
図１ないし図３は第一実施形態を示し、同図において、符号１０はケーブル側コネクタであり、該ケーブル側コネクタ１０は相手コネクタとしてのレセプタクルコネクタ５０に嵌合し、互いに電気的に接続される。
【００２５】
ケーブル側コネクタ１０は、外形が略直方体をなす電気絶縁材のハウジング１１を有し、ケーブルＣが結線された端子３０を上記ハウジング１１に形成された端子収容部としての端子孔１４内で保持している。本実施形態では、ハウジング１１には二つの端子孔１４が形成されていて、それぞれの端子孔１４に端子３０が保持されており、ハウジング１１の後方（図１にて左方）端壁部１２に形成された開口部１３から、各端子３０に結線されたケーブルＣがそれぞれ後方へ延出している。
【００２６】
図１（Ａ）及び図３（Ａ）に見られるように、本実施形態では、端子３０は圧着端子である。しかし、本発明において、端子は圧着端子に限らず、圧接結線、半田結線等の他の方法で結線される端子であってもよい。上記端子３０は、金属板を成形そして屈曲させて作られていて、背部をなす帯状の平板部３１（図３（Ａ）をも参照）と、該平板部３１の両側縁から対をなして下方へ延びる保持片３２、圧着片３３、係止片３４そして接触片３５を後方位置から前方位置へ順に有している。かかる端子３０に結線されるケーブルＣは前端部にて外皮Ｃ１が除去されていて、芯線Ｃ２が露呈している。上記端子３０の一対の保持片３２はケーブルＣの外皮Ｃ１を緊締するように曲げられてケーブルＣを保持し、一対の圧着片３３は芯線Ｃ２を緊締するように曲げられて該芯線Ｃ２が該圧着片３３にて圧着結線されている。かくして、ケーブル付端子が形成される。一対の係止片３４は、芯線Ｃ２の前端よりも前方にあり、下端縁同士が互いに向き合うように屈曲されていて、その後縁が金属板の板厚より広い範囲で後述のハウジングに形成されたランスに対し後方に向け係止してケーブル付端子の後方への抜けを防止している。一対の接触片３５は延出方向（図２にて下方向）中間位置にて、くびれた喉状部３５Ａを有し、一対の接触片３５の間に下方から進入するレセプタクルコネクタ５０の板状の端子を上記喉状部３５Ａで挟圧して該レセプタクルコネクタ５０の端子との接触を図るようになっている。
【００２７】
ハウジング１１は、図１（Ａ）に見られるように、上記ケーブルＣが結線された端子３０をケーブル長手方向で後方から挿入するため上記開口部１３から前方へ延びる端子孔１４が形成されており、該端子孔１４は前方の端壁１５に貫通開口していると共に、ハウジング１１の前部にて底壁１６でも下方に開口していて上記前方の端壁面１５寄り部分に端子進入スリット１７を形成し、その後方に係止孔１８を形成している。上記端子孔１４の前端に位置する端壁１５は端子３０の前端縁と対面する縁部をスリットの両側に有していて、該縁部で端子の前方への移動を規制している。上記端子進入スリット１７は、上記相手コネクタたるレセプタクルコネクタ５０の板状の端子の下方からの進入のためにその板厚より若干大きい幅（図１（Ａ）にて紙面に直角方向のスリット幅）を形成している。また、この端子進入スリット１７の後方で該端子進入スリット１７に隣接する係止孔１８は、該端子進入スリット１７よりも、図１（Ａ）にて紙面に直角方向で、大きい幅に形成されていて、上記端子３０の一対の係止片３４が上方から進入可能となっている。上記ハウジング１１の底壁１６には、上記係止孔１８よりも後方域にランス１９が設けられている。このランス１９は、ケーブル側コネクタ１０の底面図である図２によく見られるように、前後方向で、上記係止孔１８の後縁とハウジング１１の後端との間の位置から前方に延びて上記係止孔１８に連通するＵ字状溝１９Ａの内域部として腕状に形成されている。したがって、該ランス１９は前端が自由端であり、上記係止孔１８の後縁を形成する。このランス１９は上下方向に弾性撓み変位可能に弾性を有しており、その自由端で弾性撓み時の変位量が最大である。該ランス１９は、図１（Ａ）に見られるように、前端部で厚みが大きくなっていて、その前端面が端子３０の係止片３４の後端縁との係止のための面として係止部１９Ｂを形成している。また、上記ランス１９の前端部の下面側に突部１９Ｃを有し、該突部１９Ｃの下面は前方に向けて下方へ傾斜する面をなし被圧面１９Ｄを形成している。このようなランス１９は、係止孔１８の底壁１６に対応する位置で、各係止孔１８に形成されている。
【００２８】
該被圧面１９Ｄは、ケーブル側コネクタ１０が後述のレセプタクルコネクタ５０に嵌合したときに、該レセプタクルコネクタ５０の対応部に圧せられてランス１９が上方に弾性撓み変位を生じた状態で、該被圧面１９Ｄが上記対応部と平行な面をなして密接できるように、自由状態で上述のごとく傾斜している。また、ランス１９の前端部の上面は突出部１９Ｅを有している。
【００２９】
上記該係止孔１８の後端をなすランス１９の前端面たる係止部１９Ｂは、ランス１９の自由状態で、上記係止片３４に対面して端子３０の後退を阻止しているが、上記端子３０の係止片３４は、該端子３０の端子孔１４への挿入時、ランス１９を下方へ圧して弾性撓み変位させて、端子３０の前進を可能ならしめて、係止片３４が係止孔１８の位置にまで達した際に、弾性撓み変位が解除されたランス１９の係止部１９Ｂとの係止可能状態となる。
【００３０】
上記ハウジング１１は、前端に上壁の延長部として、該前端をもち上げるための持上げ片２３を有している。
【００３１】
上記ハウジング１１は、図２及び図３（Ａ）に見られるように、上記後方そして前方の端壁部１２，１５と共に側壁部２０が周壁面をなし、その外周面が相手コネクタたるレセプタクルコネクタ５０と嵌合する嵌合面を形成している。上記側壁面２０には、その後部位置に被案内突部２１がそして前部下縁位置に係止部２２がそれぞれ設けられている。
【００３２】
上記係止部２２は、ハウジング１１の側壁部２０の一部として形成されその下端で前後に延びる係止爪部２２Ａを有している。この係止部２２には、その上縁そして下縁に相手コネクタとの嵌合の際の相手方たる後述の係止突部との係止そして解除を容易とするテーパ部２２Ｂ，２２Ｃが形成されている。この係止部２２はハウジング１１の底壁１６に既述の端子進入スリット１７とこれに連通する係止孔１８が形成されていることにより、ハウジング１１の側壁部２０自体又は、相手コネクタの側壁の弾性変位により該側壁部２０の面に対し直角方向で弾性変位可能となっている。
【００３３】
上記ケーブル側コネクタ１０を受け入れるレセプタクルコネクタ５０のハウジング５１は、その受入れのための空間として周壁と底壁で形成される凹部５２を形成している（図１（Ａ）及び図３（Ａ）参照）。ハウジング５１の周壁は、一対の平行な側壁５３、前端壁５４そして後端壁５５を有している。周壁の下部と連結されている底壁５６は、その後部に、後方へ開放された底部切欠部５６Ａが形成されている。この底部切欠部５６Ａに連通するように、後端壁５５にも後部切欠部５５Ａが形成されていて、後端壁５５は側壁５３側に部分的に設けられている。この後部切欠部５５Ａは、レセプタクルコネクタ５０にケーブル側コネクタ１０を嵌合したときに、該ケーブル側コネクタ１０から後方へ延出するケーブルＣのための空間を形成している。
【００３４】
上記レセプタクルコネクタ５０の底壁５６は、その上面が平坦面をなしていて、該レセプタクルコネクタ５０に上記ケーブル側コネクタ１０が最終嵌合位置にもたらされたときには、ケーブル側コネクタ１０のランス１９の突部１９Ｃの下面たる被圧面１９Ｄを圧して該ランス１９を上方に弾性撓み変位させて、該ランス１９の後部の面と接するような位置に設けられていて、該底壁５６の上面が上記突部１９Ｃを押圧する平坦面で対応部を形成している。
【００３５】
上記ハウジング５１の一対の側壁５３の前部内面には、上記ケーブル側コネクタ１０のハウジング１１に形成された係止部２２の係止爪部２２Ａと前後方向で同じ長さにわたり形成された係止突部６０が設けられている（図３（Ａ）参照）。この係止突部６０は、ケーブル側コネクタ１０がレセプタクルコネクタ５０に嵌合されたときに、ケーブル側コネクタ１０の係止爪部２２Ａと係止し合う。嵌合過程では、ケーブル側コネクタ１０の係止部２２に形成された係止爪部２２Ａが上記係止突部６０に圧せられて、係止部２２又は、レセプタクルコネクタの側壁が弾性変位して係止爪部２２Ａがこの係止突部６０を乗り越えて、最終の嵌合位置にもたらされる。上記係止突部６０は、係止部２２と同様に、上縁そして下縁に、該係止部２２との係止そして解除を容易とするために、図３に見られるように、テーパ部６０Ａとテーパ部６０Ｂがそれぞれ形成されている。
【００３６】
上記側壁５３は、凹部５２の内方に向く側壁面（内面）５３Ａの後部位置に案内溝部５７が形成されている。該案内溝部５７は、溝部前縁５７Ａと溝部後縁５７Ｂとの間で没していて上下方向に開口して形成されている。上記案内溝部５７の溝部後縁５７Ｂは、案内溝５７の上部入口から下方に向け前方へ傾く案内傾斜部５７Ｂ−１とその下方に位置する垂直部５７Ｂ−２とを有している。
【００３７】
レセプタクルコネクタ５０には、図１（Ａ）そして図３（Ａ）に見られるように、その前端壁５４の内面側に二つの端子６１が設けられている。該端子６１は、コネクタの前後方向と嵌合方向の両者を含む面に拡がる板状をなす金属板で作られており、ハウジング５１の成形時に一体的に、該ハウジング５１の底壁５６と前端壁５４とで支持されているが、ハウジング５１へ圧入されて支持されていても良い。該端子６１はケーブルコネクタ１０の端子３０に設けられた一対の接触片３５間への進入を容易とするように、上縁がテーパ部６１Ａとなっている。
【００３８】
次に、このようなケーブル側コネクタ１０とレセプタクルコネクタ５０とから成る電気コネクタ組立体の製作と使用要領について説明する。
【００３９】
（１）先ず、ケーブル側コネクタ１０のハウジング１１へ、ケーブルが圧着結線されている端子３０を挿着する。この端子３０はハウジング１１の端子孔１４へ後方から前方へ向け挿着される。挿着過程において、端子３０の前部に設けられた係止片３４の下縁がランス１９の前端部上面の突出部１９Ｅを下方に圧して該ランス１９を下方に弾性撓み変位させて該端子３０の前進を可能とし、端子３０はその前端がハウジングの前方の端壁面１５に当接して所定の前進位置にもたらされる。端子３０がこの前進位置にくると、該端子３０の係止片３４は、すでにランス１９よりも前方の係止孔１８の位置にまで進んでいて、該ランス１９が該係止片３４から圧せられておらず自由状態に復帰しており、該係止片３４の後端縁がランス１９の前端面たる係止部１９Ｂと後方に向けて係止可能な位置ある（図（Ａ）参照）。かくして、ケーブルＣが多少の力で後方に引かれても、端子３０が抜けることはない。
【００４０】
（２）このように、ケーブルＣが結線されている端子３０が挿着されたケーブル側コネクタ１０を、回路基板（図示せず）上に取り付けられているレセプタクルコネクタ５０の上方位置にもたらし（図１（Ａ）参照）、そのまま降下させる。
【００４１】
（３）ケーブル側コネクタ１０のハウジング１１の外周面は、既述の通り、嵌合面を形成しており、上記ハウジング１１がレセプタクルコネクタ５０のハウジング５１の凹部５２へ受け入れられて嵌合が進行する。嵌合の進行に伴い、ケーブル側コネクタ１０の端子３０の一対の接触片３５が形成する喉部３５Ａ内にレセプタクルコネクタ５０の板状の端子６１が進入し該喉部３５Ａで挟圧され、端子３０と端子６１とが電気的に接続される。これと共に、ケーブル側コネクタ１０のランス１９は、その突部１９Ｃの下面たる被圧部１９Ｄがレセプタクルコネクタ５０のハウジング５１の底壁５６の対応部に接触し始め嵌合の進行に伴い、該底壁５６の対応部からの押圧力を受けて上方へ弾性撓み変位し、嵌合完了時には、嵌合前よりもランス１９の突部１９Ｃの前端面たる係止部１９Ｂは端子３０の係止片３４との係止量を増大する（図１（Ｂ）参照）。
【００４２】
（４）嵌合完了時には、ケーブル側コネクタ１０の係止爪部２２Ａが係止部２２の弾性変位によってレセプタクルコネクタ５０の係止突部６０を乗り越えた後、係止部２２又は、レセプタクルコネクタの側壁の自由状態への復帰により該係止突部６０と係止し合う（図３（Ｂ）参照）。この係止により、嵌合完了状態が維持され、上記ランス１９は端子３０との係止量を増大したまま、その位置を維持する。
【００４３】
本実施形態では、図１に見られたように、ケーブル側コネクタ１０のランス１９が突部１９Ｃを有し、コネクタ嵌合時に該突部１９Ｃを押圧するレセプタクルコネクタ５０の対応部がハウジング５１の底壁５６の平坦面を有する上面として形成されていたが、この突部と平坦面との位置関係を逆にしてもよい。
【００４４】
図４に示される形態では、ケーブル側コネクタ１０のランス１９の前端部の下面で形成される被圧面１９Ｄは平坦面をなしている。一方、レセプタクルコネクタ５０のハウジング５１の底壁５６はその上面に突部５６Ｂを有して、該突部５６Ｂの上面を押圧面として対応部をなしている。
【００４５】
この形態においても、コネクタ嵌合後には、嵌合前に比し、ランス１９と端子３０との係止量は上記突部５６Ｂの突出量（底壁５６の上面からの突出量）の分だけ増大する。
【００４６】
＜第二実施形態＞
図１ないし図４に示す形態では、ケーブル側コネクタはランスの延びる方向に対して直角方向でレセプタクルコネクタに嵌合されていて、嵌合過程では、ランスはレセプタクルコネクタと摺接による摩擦を伴っていなかったが、嵌合完了位置を維持するための位置維持手段として、両コネクタは互いに係止突部と係止爪部とを要していた。本発明は、このような形態に限定されず、ケーブル側コネクタがランスの延出方向でレセプタクルコネクタに嵌合される形態とすることもできる。このような形態では、位置維持手段が特段の係止突部や係止爪部として設けられている必要はなく、両コネクタのハウジングの嵌合面が位置維持手段として機能する。
【００４７】
図５に示す第二実施形態では、ケーブル側コネクタ１０自体は第一実施形態におけるものと全く同じであるが、レセプタクルコネクタ５０はそのハウジング５１が後方（左方）に開口せる筒状体となっている点に特徴がある。
【００４８】
図５において、レセプタクルコネクタ５０のハウジング５１は、底壁５６に対向してこれに平行な上壁５６’を有し、後方に開口部５１Ａが形成されていて、全体として左方に開口した筒状体をなしている。上記底壁５６の上面と上壁５６’の下面は平行で、両者の間隔は、ケーブル側コネクタ１０のランス１９の突部１９Ｃを除いた、ハウジング１１の互いに平行な上面と下面との距離にほぼ等しい。
【００４９】
使用に際しては、ケーブル側コネクタ１０は、図５（Ａ）のごとく、上記開口部５１Ａから上記レセプタクルコネクタ５０へ挿着される。挿着開始時から、上記ランス１９はその突部１９Ｃがその被圧面１９Ｄでレセプタクルコネクタ５０のハウジング５１の底壁５６の上面により押圧されて、ランス１９は上方に弾性撓み変位を生じて、上記被圧面１９Ｄと底壁５６の上面との間に摩擦力を伴いながらケーブル側コネクタ１０は前進する。ケーブル側コネクタ１０の前端がレセプタクルコネクタの前端壁５４に当接した位置が、ケーブル側コネクタ１０の所定の挿着位置となり、この位置で両コネクタは突起６０と対応するケーブル側コネクタ１０に形成された係止部が係止し合うことにより抜け防止が図られる。
【００５０】
ランス１９は、挿着開始時から挿着完了時まで一定した変位量を生じており、すなわち、挿着前に自由状態にあるランス１９の端子３０との係止量に比して増大された係止量を保っている。ケーブル側コネクタ１０は、レセプタクルコネクタ５０の底壁５６と上壁５６’により終始上下方向に規制されているので、ランス１９の変位量すなわち端子３０に対する増大された係止量は、上記底壁５６と上壁５６’が位置維持手段として機能することにより、そのまま維持される。
【符号の説明】
【００５１】
１０  ケーブル側コネクタ                ２２Ａ  位置維持手段（係止爪部）
１１  ハウジング                        ３０  端子
１４  端子収容部（端子孔）              ５６  位置維持手段（底壁）、押圧面
１９  ランス                            ５６’  位置維持手段（上壁）
１９Ｂ  係止部                          ６０  位置維持手段（係止突部）
１９Ｃ  突部
【図１】
2011034702.tif 000003
【図２】
2011034702.tif 000004
【図３】
2011034702.tif 000005
【図４】
2011034702.tif 000006
【図５】
2011034702.tif 000007